【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
送信ポイント（ＴＰ）によるワイヤレス通信のための方法であって、
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてのフィードバックを強制する、
ＰＭＩ制限の前記１つまたは複数のセットに少なくとも部分的に基づいて、前記ＵＥに報告制限をシグナリングすることと、前記報告制限は、前記ＵＥによって報告され得るＰＭＩＳの限定されたセットを示す、
前記ジョイント送信されたＣＳＩ−ＲＳに基づきおよび前記報告制限に従う、前記ＵＥからのＰＭＩフィードバックを受信することと、
前記ＰＭＩフィードバックおよび前記報告制限に基づいて、前記ＵＥをサービスするために前記ＴＰのうちの１つまたは複数を選択することとを備える、方法。
【請求項２】
前記報告制限は、ＰＭＩコードブック制限を備え、前記ＵＥによって報告されたＰＭＩは、ＴＰ選択を示す、請求項１に記載の方法。
【請求項３】
他のＴＰからの報告が必要とされる場合、前記コードブック制限を修正することをさらに備える、請求項２に記載の方法。
【請求項４】
前記報告制限が、いくつかの周期報告モードを構成することによるＰＭＩ報告に対するさらなる制限を備える、請求項１に記載の方法。
【請求項５】
前記協調することが、ＴＰ上で前記ジョイント送信されたＣＳＩ−ＲＳの送信電力を協調させることを備える、請求項１に記載の方法。
【請求項６】
第１のＴＰに対応するフィードバックの周期報告と、少なくとも第２のＴＰおよび前記第１のＴＰについてのＰＭＩ／ＣＱＩフィードバックならびにＴＰ選択に対応するフィードバックの非周期報告と、のために前記ＵＥを構成することをさらに備える、請求項１に記載の方法。
【請求項７】
前記第２のＴＰは、前記第２のＴＰが前記１つまたは複数の他のＴＰによってサービスされるセルのうちのベストセルに対応することを示すフィードバックに基づいて選択される、請求項６に記載の方法。
【請求項８】
前記複数のＴＰのうちの少なくとも１つが１つのアンテナを有し、前記仮想アンテナポートマッピングが少なくとも２ポートマッピングを備える、請求項１に記載の方法。
【請求項９】
前記複数のＴＰのうちの少なくとも１つが少なくとも２つのアンテナを有する、請求項１に記載の方法。
【請求項１０】
前記仮想アンテナポートマッピングが４ポートマッピングまたは８ポートマッピングのうちの少なくとも１つを備える、請求項９に記載の方法。
【請求項１１】
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてのフィードバックを強制する、
ＰＭＩ制限の前記１つまたは複数のセットに少なくとも部分的に基づいて、前記ＵＥに報告制限をシグナリングすることと、前記報告制限は、前記ＵＥによって報告され得るＰＭＩＳの限定されたセットを示す、
を行うように構成された送信機と、
前記ジョイント送信されたＣＳＩ−ＲＳに基づきおよび前記報告制限に従う、前記ＵＥからのＰＭＩフィードバックを受信するように構成された受信機と、
前記ＰＭＩフィードバックおよび前記報告制限に基づいて、前記ＵＥをサービスするために前記ＴＰのうちの１つまたは複数を選択するように構成されたプロセッサとを備える、装置。
【請求項１２】
前記報告制限は、ＰＭＩコードブック制限を備え、前記ＵＥによって報告されたＰＭＩは、ＴＰ選択を示す、請求項１１に記載の装置。
【請求項１３】
前記プロセッサは、他のＴＰからの報告が必要とされる場合、前記コードブック制限を修正するようにさらに構成される、請求項１２に記載の装置。
【請求項１４】
前記報告制限が、いくつかの周期報告モードを構成することによるＰＭＩ報告に対するさらなる制限を備える、請求項１１に記載の装置。
【請求項１５】
前記協調することが、ＴＰ上で前記ジョイント送信されたＣＳＩ−ＲＳの送信電力を協調させることを備える、請求項１１に記載の装置。
【請求項１６】
前記送信機は、第１のＴＰに対応するフィードバックの周期報告と、少なくとも第２のＴＰおよび前記第１のＴＰについてのＰＭＩ／ＣＱＩフィードバックならびにＴＰ選択に対応するフィードバックの非周期報告と、のために前記ＵＥを構成するようにさらに構成される、請求項１１に記載の装置。
【請求項１７】
前記第２のＴＰは、前記第２のＴＰが前記１つまたは複数の他のＴＰによってサービスされるセルのうちのベストセルに対応することを示すフィードバックに基づいて選択される、請求項１６に記載の装置。
【請求項１８】
前記複数のＴＰのうちの少なくとも１つが１つのアンテナを有し、前記仮想アンテナポートマッピングが少なくとも２ポートマッピングを備える、請求項１１に記載の装置。
【請求項１９】
前記複数のＴＰのうちの少なくとも１つが少なくとも２つのアンテナを有する、請求項１１に記載の装置。
【請求項２０】
前記仮想アンテナポートマッピングが４ポートマッピングまたは８ポートマッピングのうちの少なくとも１つを備える、請求項１９に記載の装置。
【請求項２１】
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調するための手段と、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてのフィードバックを強制する、
ＰＭＩ制限の前記１つまたは複数のセットに少なくとも部分的に基づいて、前記ＵＥに報告制限をシグナリングするための手段と、前記報告制限は、前記ＵＥによって報告され得るＰＭＩＳの限定されたセットを示す、
前記ジョイント送信されたＣＳＩ−ＲＳに基づきおよび前記報告制限に従う、前記ＵＥからのＰＭＩフィードバックを受信するための手段と、
前記ＰＭＩフィードバックおよび前記報告制限に基づいて、前記ＵＥをサービスするために前記ＴＰのうちの１つまたは複数を選択するための手段とを備える、装置。
【請求項２２】
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数の送信ポイントの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてのフィードバックを強制する、
ＰＭＩ制限の前記１つまたは複数のセットに少なくとも部分的に基づいて、前記ＵＥに報告制限をシグナリングすることと、前記報告制限は、前記ＵＥによって報告され得るＰＭＩＳの限定されたセットを示す、
前記ジョイント送信されたＣＳＩ−ＲＳに基づきおよび前記報告制限に従う、前記ＵＥからのＰＭＩフィードバックを受信することと、
前記ＰＭＩフィードバックおよび前記報告制限に基づいて、前記ＵＥをサービスするために前記ＴＰのうちの１つまたは複数を選択することとを行うための命令を備える、非一時的コンピュータ可読媒体。